(57)【要約】【課題】誘導加熱に適した負荷かどうかの判別を精度よく行うことが可能な誘導加熱装置を提供する。【解決手段】動作負荷条件演算部２３は、誘導加熱装置の動作指令値および動作検出値から誘導加熱インバータ１１の詳細な動作状態を演算し、比較部／負荷条件判定部２４は、誘導加熱インバータ１１の負荷条件を適合負荷範囲と比較することで、負荷条件の適合または不適合を判定する。【選択図】      図１
2009163915.tif 000002
【特許請求の範囲】
【請求項１】
加熱コイルに高周波電流を流して負荷を誘導加熱する誘導加熱インバータと、
前記誘導加熱インバータの動作状態を示した情報に基づいて前記誘導加熱インバータの負荷条件を演算する動作負荷条件演算部と、
前記誘導加熱インバータの負荷条件を適合負荷範囲と比較することで、前記負荷条件の適合または不適合を判定する負荷条件判定部とを備えることを特徴とする誘導加熱装置。
【請求項２】
前記誘導加熱インバータの動作状態を示した情報は、
供給電力と、
入力電圧またはインバータ直流中間電圧のいずれか少なくとも一方が得られる情報と、  負荷電流、動作周波数および出力電流位相のいずれか少なくとも２つが得られる情報とを備えることを特徴とする請求項１記載の誘導加熱装置。
【請求項３】
前記適合負荷範囲は、最大電流で動作する境界、最小電流で動作する境界、最高周波数で動作する境界および最低周波数で動作する境界で囲まれた範囲であることを特徴とする請求項１または２記載の誘導加熱装置。
【請求項４】
前記負荷条件判定部は、前記適合負荷範囲の外側にあり、前記適合負荷範囲を囲む４つの境界を結ぶ４つの頂点のうち、前記最大電流および前記最低周波数で動作する点に最も近い負荷条件に基づいて、負荷が所定値よりも寸法の小さいと判別することを特徴とする請求項１から３のいずれか１項記載の誘導加熱装置。
【請求項５】
前記負荷条件判定部は、前記適合負荷範囲の外側にあり、前記適合負荷範囲を囲む４つの境界を結ぶ４つの頂点のうち、前記最大電流および前記最高周波数で動作する点に最も近い負荷条件に基づいて、被加熱物の材質が非磁性体であると判別することを特徴とする請求項１から３のいずれか１項記載の誘導加熱装置。
【発明の詳細な説明】
【技術分野】
【０００１】
本発明は誘導加熱装置に関し、特に、一般家庭やレストランなどで使用される誘導加熱調理器や金属溶解、シームレス溶接などに使用される産業用誘導加熱装置の負荷の適合または不適合を判定する方法に適用して好適なものである。
【背景技術】
【０００２】
誘導加熱装置は、高周波電流を加熱コイルに供給し、電磁誘導の原理で負荷（被加熱物）に渦電流を発生させ、そのジュール熱で負荷を加熱することができ、スイッチング素子を用いて交流電源から高周波電流を生成する電力変換回路が設けられている。
図７は、誘導加熱インバータの回路構成を示す図である。
図７において、誘導加熱インバータには、スイッチング動作を行うスイッチング素子Ｓ１、Ｓ２が設けられ、スイッチング素子Ｓ１、Ｓ２は互いに直列接続されるとともに、スイッチング素子Ｓ１、Ｓ２には帰還ダイオードＤ５、Ｄ６がそれぞれ逆並列接続されている。そして、この直列接続されたスイッチング素子Ｓ１、Ｓ２の両端には、互いに直列接続された共振コンデンサＣｒ１、Ｃｒ２が並列接続されるとともに、平滑コンデンサＣｄｃ２が並列接続され、さらにダイオードＤ１〜Ｄ４からなるダイオードブリッジに接続されている。
【０００３】
そして、ダイオードＤ１、Ｄ３の接続点とダイオードＤ２、Ｄ４の接続点との間には交流電源５１が接続され、スイッチング素子Ｓ１、Ｓ２の接続点と共振コンデンサＣｒ１、Ｃｒ２の接続点との間には加熱コイルのインダクタンスＬ０および被加熱物の抵抗Ｒ０が接続される。
そして、交流電源５１から出力された交流電圧は、ダイオードＤ１〜Ｄ４からなるダイオードブリッジにて直流に変換され、平滑コンデンサＣｄｃ２を介して直列接続されたスイッチング素子Ｓ１、Ｓ２の両端に供給される。そして、スイッチング素子Ｓ１、Ｓ２を交互にスイッチングすることにより、加熱コイルに高周波電流が供給され、負荷を誘導加熱させることができる。
【０００４】
ここで、誘導加熱インバータは、加熱コイルのインダクタンスＬ０と共振コンデンサＣｒ１、Ｃｒ２との共振周波数以上の周波数で動作され、正弦波状の電流を加熱コイルに供給することで、負荷を加熱することが一般的に行われている。
ここで、例えば、誘導加熱インバータが電磁調理器に適用された場合、平板状に巻かれた加熱コイルの上面に配置された天板上に鍋などの被加熱物を載せることで、被加熱物が誘導加熱される。
【０００５】
この場合、加熱されると危険なスプーンやナイフなどの小物類、誘導加熱することが一般に困難な非磁性材料製（銅やアルミニウム）の鍋などの電力を適切に供給できない被加熱物が天板上に配置されることがある。
このため、電磁調理器に適用される誘導加熱インバータは、上記の２種類の不適切な負荷条件と、適正に電力を供給できる負荷条件を瞬時に判別し、その判別結果に応じた動作を決定する必要がある。すなわち、誘導加熱インバータは、小物類が天板上に載せられた場合には、加熱コイルへの電流の供給を瞬時に停止し、非磁性材料製の鍋が天板上に載せられた場合には、加熱コイルへの電流の供給を瞬時に停止するか、非磁性材料製の鍋を加熱可能な主回路構成や制御方式に瞬時に切り替える必要がある。
【０００６】
図８は、従来の誘導加熱調理器の容器材質判別部の概略構成を示すブロック図である（特許文献１）。
図８において、誘導加熱調理器には、交流電源４０の交流を整流する整流部４１と、整流された交流をフィルタリングするフィルタ部４２とを含めて構成された電源供給部と、電源供給部から供給される電力により誘導加熱調理器を加熱するインバータ部４３とが設けられている。
また、誘導加熱調理器には、誘導加熱調理器が動作される場合、インバータ部４３の共振キャパシタの電圧及びスイッチングパルスを用いて容器材質が磁性か非磁性かを判別し、この判別結果による容器の材質に応じて加熱されるようにする容器材質判別部３１が設けられている。
【０００７】
ここで、容器の材質を判別するための容器材質判別部３１には、検出されたインバータ部４３の共振キャパシタ電圧とインバータ部４３のスイッチングパルスとを比較して容器材質によって可変するパルス幅の信号を出力するロジック判断部３３が設けられている。
また、容器材質判別部３１には、インバータ部４３の共振キャパシタ電圧を検出し、半波整流及び分圧して、ロジック判断部３３に伝達する電圧検出部３２と、ロジック判断部３３から出力されたパルス信号を直流電圧に変換する直流電圧平滑部３４と、直流電圧に基づいて容器が磁性か非磁性かを判断し、この判断結果に応じてインバータ部４３を動作させるマイコン３５が設けられている。
【０００８】
電圧検出部１３２は、インバータ部４３と連結されてインバータ部４３の共振キャパシタの電圧を検出し、検出された電圧の半波だけを整流し、半波整流された電圧を分圧してロジック判断部３３に伝達する。
特に、電圧検出部３２は、容器の材質によって負荷が可変し、相異なる共振周波数を示す特性に基づいてインバータ部４３の共振キャパシタ電圧を検出し、位相変移によって容器の材質を判別するように検出された共振キャパシタ電圧をロジック判断部３３に伝達する。
【０００９】
このとき、ロジック判断部３３は、電圧検出部３２の出力電圧及びインバータ部４３のスイッチングパルスを受けて、両入力値を比較し、スイッチングパルスと検出された共振キャパシタ電圧の位相変位幅内で容器の材質によってパルス幅が可変される材質判別信号を出力する。
また、直流電圧平滑部３４はロジック判断部３３の材質判別信号を平滑な直流電圧としてマイコン３５に出力し、マイコン３５は入力された直流電圧に基づいて容器の材質が磁性か非磁性か判断し、その判断結果に応じてインバータ部４３を動作させる。
【００１０】
マイコン３１には、直流電圧平滑部３４から出力された直流電圧とマイコン３１の内部基準値とを比較し、直流電圧に基づいて容器が磁性か非磁性かを判断する磁性判断部３５ａと、磁性材質と判断された場合、インバータ部４３を動作させて容器を加熱させるインバータ制御部３５ｂが設けられている。すなわち、磁性判断部３５ａは、直流電圧が内部基準値の１／４以上である場合は、容器が磁性材質からなっていると判断し、それ以外の場合は非磁性材質からなっていると判断する。
【００１１】
また、特許文献２には、材質判別手段の判別結果に応じて容量変更手段の開閉を制御するとともに、容量変更手段の開または閉を検知する開閉検知手段を設け、磁性または非磁性により異なる共振特性を利用して容器材質の判別を行い、その判別結果に基づいて共振コンデンサの容量を変更することによりそれぞれの材質に適した共振状態を取得し、最適な加熱状態を得られるようにする方法が開示されている。
【００１２】
図９は、従来の誘導加熱調理器における各種被加熱物の材質判別特性図である。
図９において、横軸は入力電流、縦軸は共振コンデンサ電圧を示している。そして、被加熱物の材質は、磁性材質である第１の材質、非磁性材質である第２の材質、および無負荷状態またはそれに近い第３の材質の３種類に分類され、入力電流と共振コンデンサ電圧の検出値から判別することができる。
【００１３】
また、特許文献３、４には、インバータ駆動回路の駆動周波数、加熱コイルに供給される電流の値、その電流と電圧の位相差などを監視することで、金属容器の有無、位置、材質などを判別する方法が開示されている。
【特許文献１】特開２００５−１２９５３９号公報
【特許文献２】特開２００７−１６５１２２号公報
【特許文献３】特開平４−２６９４８８号公報
【特許文献４】特開平１１−１２１１５９号公報
【発明の開示】
【発明が解決しようとする課題】
【００１４】
しかしながら、従来の誘導加熱装置では、負荷が金属の塊であり、負荷に流れる電流や負荷にかかる電圧を直接測定できないことから、負荷の正確なインピーダンスを検出することができず、動作負荷条件を正確に求めることができない。
また、電磁調理器の場合、鍋の形状や材質、天板上に置かれた位置などに依存して、負荷となるインピーダンスが大きく変動することから、誘導加熱インバータが所望の電力を供給できる負荷範囲を定量的に示すことが困難である。
このため、従来の誘導加熱装置では、所望の電力を供給できる負荷と、所望の電力を供給できない小物や非磁性材料からなる負荷とを正確に判別することができないという問題があった。
そこで、本発明の目的は、誘導加熱に適した負荷かどうかの判別を精度よく行うことが可能な誘導加熱装置を提供することである。
【課題を解決するための手段】
【００１５】
上述した課題を解決するために、請求項１記載の誘導加熱装置によれば、加熱コイルに高周波電流を流して負荷を誘導加熱する誘導加熱インバータと、前記誘導加熱インバータの動作状態を示した情報に基づいて前記誘導加熱インバータの負荷条件を演算する動作負荷条件演算部と、前記誘導加熱インバータの負荷条件を適合負荷範囲と比較することで、前記負荷条件の適合または不適合を判定する負荷条件判定部とを備えることを特徴とする。
【００１６】
また、請求項２記載の誘導加熱装置によれば、前記誘導加熱インバータの動作状態を示した情報は、供給電力と、入力電圧またはインバータ直流中間電圧のいずれか少なくとも一方が得られる情報と、負荷電流、動作周波数および出力電流位相のいずれか少なくとも２つが得られる情報とを備えることを特徴とする。
また、請求項３記載の誘導加熱装置によれば、前記適合負荷範囲は、最大電流で動作する境界、最小電流で動作する境界、最高周波数で動作する境界および最低周波数で動作する境界で囲まれた範囲であることを特徴とする。
【００１７】
また、請求項４記載の誘導加熱装置によれば、前記負荷条件判定部は、前記適合負荷範囲の外側にあり、前記適合負荷範囲を囲む４つの境界を結ぶ４つの頂点のうち、前記最大電流および前記最低周波数で動作する点に最も近い負荷条件に基づいて、負荷が所定値よりも寸法の小さいと判別することを特徴とする。
また、請求項５記載の誘導加熱装置によれば、前記負荷条件判定部は、前記適合負荷範囲の外側にあり、前記適合負荷範囲を囲む４つの境界を結ぶ４つの頂点のうち、前記最大電流および前記最高周波数で動作する点に最も近い負荷条件に基づいて、被加熱物の材質が非磁性体であると判別することを特徴とする。
【発明の効果】
【００１８】
以上説明したように、本発明によれば、誘導加熱インバータの負荷条件を適合負荷範囲と比較することで、負荷条件の適合または不適合を判別することが可能となり、所望の電力を供給できる負荷と、所望の電力を供給できない小物や非磁性材料からなる負荷とを正確に判別することが可能となる。
【発明を実施するための最良の形態】
【００１９】
以下、本発明の実施形態に係る誘導加熱装置について図面を参照しながら説明する。
図１は、本発明の第１実施形態に係る誘導加熱装置が適用される誘導加熱装置の概略構成を示すブロック図である。
図１において、誘導加熱インバータ１１には、スイッチング動作に基づいて高周波電流を生成するスイッチング回路１５が設けられ、スイッチング回路１５は平滑コンデンサＣｄｃ２を介してダイオードブリッジ回路１３に接続されている。そして、スイッチング回路１５の出力側には加熱コイル１６が設けられ、ダイオードブリッジ回路１３の出力側には交流電源１２が接続されている。また、誘導加熱装置には、スイッチング回路１５のスイッチング制御を行う制御回路部２１が設けられている。
【００２０】
ここで、制御回路部２１には、誘導加熱インバータ１１の負荷条件を判別する負荷条件判別部２２および負荷条件判別部２２にて判別された負荷に応じた動作指令を誘導加熱インバータ１１に下す動作指令部２６が設けられている。そして、負荷条件判別部２２には、誘導加熱インバータ１１の動作状態を示した情報に基づいて負荷条件を演算する動作負荷条件演算部２３、誘導加熱インバータ１１の適合負荷範囲を演算または記憶する適合負荷範囲記憶部２５および動作負荷条件演算部２３にて演算された負荷条件を適合負荷範囲と比較することで、負荷条件の適合または不適合を判定する比較部／負荷条件判定部２４が設けられている。
【００２１】
そして、動作負荷条件演算部２３は、誘導加熱装置の動作指令値および動作検出値から誘導加熱インバータ１１の詳細な動作状態を演算する。そして、比較部／負荷条件判定部２４は、誘導加熱インバータ１１の負荷条件を適合負荷範囲と比較することで、負荷条件の適合または不適合を判定することができ、所望の電力を供給できる負荷と、所望の電力を供給できない小物や非磁性材料からなる負荷とを正確に判別することが可能となる。
【００２２】
以降では、図１の誘導加熱装置の動作指令値および動作検出値から得られる情報に基づいて、誘導加熱インバータ１１の動作状態を推定する方法について説明する。
誘導加熱インバータ１１の動作状態を把握するために誘導加熱装置で得る情報として、制御回路部２１で必要となる情報を用いることで、誘導加熱装置用に別途検出しないようにすることができる。
ここで、図１の誘導加熱装置のモニタ部から得られる情報としては、以下の情報を挙げることできる。
・入力電圧Ｖｉｎ
・入力電力Ｐｉｎ
・スイッチング周波数ｆｓ
・出力電流ＩＬ０
・出力電流位相角θ
【００２３】
例えば、図７の誘導加熱インバータでは、加熱コイルの負荷は加熱コイルと被加熱物とが磁気結合し、インダクタンスＬ０と抵抗Ｒ０からなり、誘導加熱インバータの負荷条件に相当する。
しかし、加熱コイルのインダクタンスＬ０と被加熱物の抵抗Ｒ０は、被加熱物と結合状態により大きく変化する上に、被加熱物の温度や供給電流量によって非線形に変化することから、これらのインダクタンスＬ０と抵抗Ｒ０を正確に測定することは困難である。
従って、これらのインダクタンスＬ０と抵抗Ｒ０の正確な値を求めることができるならば、誘導加熱インバータの詳細な動作状態を把握することができる。
図７の誘導加熱インバータでは、インバータ入力電圧ｖｉｎｖ、インバータ出力電流ｉＬ０、インバータ出力電力Ｐｏｕｔ、動作周波数ｆｓには、以下の関係式（１）〜（４）が成り立つ。
【００２４】
【数１】
2009163915.tif 000003
【００２５】
【数２】
2009163915.tif 000004
【００２６】
【数３】
2009163915.tif 000005
【００２７】
【数４】
2009163915.tif 000006
【００２８】
以上の（１）〜（４）式は、簡単化のため、動作周波数ｆｓの基本波周波数成分のみ記述しているが、高周波成分についても同様の関係式を導出することができる。
ここで、（１）式の直流中間電圧Ｖｄｃは入力電圧Ｖｉｎから簡単に演算することができ、誘導加熱装置内の損失を無視すると、（３）式において、Ｐｏｕｔ＝Ｐｉｎが成り立つ。なお、誘導加熱装置内の効率ηを考慮すると、Ｐｏｕｔ＝ηＰｉｎとなる。
【００２９】
すなわち、入力電圧Ｖｉｎや入力電力Ｐｉｎは、誘導加熱インバータに供給される電圧とインバータ出力電力Ｐｏｕｔを得るために検出されるため、それらの値が得られるならば、どのような検出器を用いるようにしてもよい。例えば、ＡＣ−ＡＣ直接変換回路の場合では、直流中間電圧Ｖｄｃは存在しないが、入力電圧Ｖｉｎから動作状態を求めることができる。また、入力電流と入力力率から直流中間電圧Ｖｄｃまたは入力電圧Ｖｉｎを換算する方法もあるが、検出器が多いだけで本質的に同じ方法で動作状態を求めることができる。
【００３０】
また、Ｃｒは誘導加熱インバータの共振コンデンサ容量であり、図７の構成では、Ｃｒ＝Ｃｒ１＋Ｃｒ２が成り立つ。従って、以上の（１）〜（４）式のうち、未知数は、加熱コイルのインダクタンスＬ０と被加熱物の抵抗Ｒ０だけとなり、（１）〜（４）式と上述した情報から様々の組み合わせによってインダクタンスＬ０と抵抗Ｒ０を求めることが可能となることから、誘導加熱インバータの負荷条件を正確に求めることが可能となるとともに、誘導加熱インバータの詳細な動作状態を把握することができる。
【００３１】
上記の動作負荷条件の演算法では、供給電力の大きさに依らずに、負荷のインダクタンスＬ０と被加熱物の抵抗Ｒ０の値を詳細かつ正確に演算することができる。
以降では、図１の適合負荷範囲記憶部２５の構成例について説明する。
誘導加熱インバータ１１の適合負荷範囲は、誘導加熱インバータ１１の固有であり、誘導加熱インバータ１１の設計条件によって変化する。この適合負荷範囲は、誘導加熱インバータ１１のメーカーから加熱コイル１６の製作者に提供される重要な情報の一つである。
しかしながら、従来技術では適合負荷範囲を正確に求めることができなかった。それに対し、本発明によると、誘導加熱インバータに応じた適合負荷範囲を正確に求めることができる。
【００３２】
図２は、本発明の一実施形態に係る負荷適合判別方法に用いられる適合負荷範囲を示す図である。ここで、図２は定格負荷を供給できる負荷を適合負荷として判定する場合の適合負荷範囲を求めている。なお、図２の例では、横軸をインダクタンスＬ０、縦軸をクオリティファクタＱ０として、適合負荷範囲を示した。ここで、クオリティファクタＱ０は、以下の（５）式で定義することができる。
Ｑ０＝２πｆｓＬ０／Ｒ０                                            ・・・（５）
【００３３】
図２において、誘導加熱インバータ１１の動作状態は、横軸をインダクタンスＬ０、縦軸をクオリティファクタＱ０とした適合負荷範囲の表現方法に結び付けられて示されている。
すなわち、最大電流で動作する境界ＫＩｘ、最小電流で動作する境界ＫＩｎ、最高周波数で動作する境界ＫＦｘおよび最低周波数で動作する境界ＫＦｎで囲まれた範囲を適合負荷範囲とすることができる。
また、これら４つの境界ＫＩｘ、ＫＩｎ、ＫＦｘ、ＫＦｎを結ぶ４つの頂点Ｐ１〜Ｐ４も以下の動作状態から求めることができる。
頂点Ｐ１：最小電流、最低周波数条件
頂点Ｐ２：最大電流、最高周波数条件
頂点Ｐ３：最大電流、最低周波数条件
頂点Ｐ４：最小電流、最高周波数条件
【００３４】
そして、誘導加熱インバータ１１から得られた情報に基づいて演算した負荷条件（インダクタンスＬ０と抵抗Ｒ０の値）と、動作周波数ｆｓから求められる負荷条件（インダクタンスＬ０とクオリティファクタＱ０の値）を図２の適合負荷範囲上に重なるようにプロットすることで、負荷条件の適合または不適合を判定することができる。
ここで、適合負荷範囲の４つの境界ＫＩｘ、ＫＩｎ、ＫＦｘ、ＫＦｎは、誘導加熱インバータ１１の設計によって決められる。すなわち、定格電力に対して何％まで電力を供給できる負荷条件を適合負荷範囲とするかは、誘導加熱インバータ１１の設計に依存する。
【００３５】
図３は、本発明の一実施形態に係る負荷範囲の演算結果を示す図である。
図３において、定格電力の１００％まで供給可能な負荷範囲、定格電力の５０％まで供給可能な負荷範囲および定格電力の２５％まで供給可能な負荷範囲の３種類について示した。
図３から明らかなように、定格電力を供給可能な負荷範囲が最も狭く、供給電力が少なくなるに従って負荷範囲が広くなる。そして、適合負荷範囲は誘導加熱装置の用途に応じて決定され、定格電力が供給されなければならない用途については適合負荷範囲は最も狭く、定格電力の２５％までしか供給することができなくても問題なければ、適合負荷範囲は最も広くなる。
【００３６】
ここで、図３の負荷範囲のデータは適合負荷範囲記憶部２５に記憶することができる。そして、例えば、動作負荷条件演算部２３にて演算された負荷条件が図３の×印の位置にあるものとすると、比較部／負荷条件判定部２４は、この×印の位置と図３の負荷範囲とを比較する。そして、比較部／負荷条件判定部２４は、この×印の位置が定格電力の２５％まで供給可能な負荷範囲の外側にあると判断すると、定格電力の２５％の電力を負荷に供給できないため、不適切な負荷条件の被加熱物が電磁調理器の天板上に載っていると判断することができる。
【００３７】
また、負荷が適切か不適切かを判断するだけでなく、どのような負荷条件で不適切か（スプーンやナイフなどの小物類が載っているのか、非磁性材料製の鍋が載っているのか）についても判断する場合、比較部／負荷条件判定部２４は、図２の適合負荷範囲の外側にあり、その適合負荷範囲を囲む４つの境界ＫＩｘ、ＫＩｎ、ＫＦｘ、ＫＦｎを結ぶ４つの頂点Ｐ１〜Ｐ４のうち、最大電流および最低周波数で動作する点Ｐ３に最も近い負荷条件に基づいて、負荷が所定値よりも寸法の小さいと判別することができる。
【００３８】
すなわち、スプーンやナイフなどの小物類が天板上に載っている場合、このような小物は加熱コイル１６よりも小さいことから、加熱コイル１６との結合が悪くなり、インダクタンスが大きく、抵抗成分が小さい。インダクタンスが大きく、抵抗成分が小さい条件は、最大電流および最低周波数で動作する点Ｐ３に対応するので、負荷条件が図２の適合負荷範囲の外側にあり、点Ｐ３に最も近い場合を、スプーンやナイフなどの小物類が天板上に載っていると判別することができる。
【００３９】
なお、インダクタンスが大きく、抵抗成分が大きい右下の不適合負荷範囲も含めて、スプーンやナイフなどの小物類が天板上に載っていると判別するための負荷条件としてもよい。
また、比較部／負荷条件判定部２４は、図２の適合負荷範囲の外側にあり、その適合負荷範囲を囲む４つの境界ＫＩｘ、ＫＩｎ、ＫＦｘ、ＫＦｎを結ぶ４つの頂点Ｐ１〜Ｐ４のうち、最大電流および最高周波数で動作する点Ｐ２に最も近い負荷条件に基づいて、被加熱物の材質が非磁性体であると判別することができる。
【００４０】
すなわち、非磁性材料製の鍋が天板上に載っている場合、このような被加熱物は、加熱コイル１６との結合が良いことから、インダクタンスが小さく、抵抗成分が小さい。インダクタンスが小さく、抵抗成分が小さい条件は、最大電流および最高周波数で動作する点Ｐ２に対応するので、負荷条件が図２の適合負荷範囲の外側にあり、点Ｐ２に最も近い場合を、非磁性材料製の鍋が天板上に載っていると判別することができる。
【００４１】
図４は、本発明の一実施形態に係る誘導加熱インバータの回路構成の一例を示す図である。
図４において、誘導加熱インバータ１１ａには、スイッチング動作に基づいて高周波電流を生成するスイッチング回路１５ａが設けられ、スイッチング回路１５ａは平滑コンデンサＣｄｃを介してダイオードＤ１〜Ｄ４からなるダイオードブリッジ回路１３ａに接続されている。
ここで、スイッチング回路１５ａには、スイッチング動作を行うスイッチング素子Ｓ１、Ｓ２が設けられ、スイッチング素子Ｓ１、Ｓ２は互いに直列接続されるとともに、スイッチング素子Ｓ１、Ｓ２には帰還ダイオードＤ５、Ｄ６がそれぞれ逆並列接続されている。
【００４２】
そして、ダイオードＤ１、Ｄ３の接続点とダイオードＤ２、Ｄ４の接続点との間には交流電源１２が接続され、加熱コイル１６には共振コンデンサＣｓが直列接続され、共振コンデンサＣｓが直列接続された加熱コイル１６はスイッチング素子Ｓ２に並列接続されている。
そして、交流電源１２から出力された交流電圧は、ダイオードブリッジ回路１３ａにて直流に変換され、平滑コンデンサＣｄｃを介してスイッチング回路１５ａに供給される。そして、スイッチング素子Ｓ１、Ｓ２を交互にスイッチングし、加熱コイル１６のインダクタンスＬ０と共振コンデンサＣｓとの共振周波数以上の周波数で動作させながら、加熱コイル１６に高周波電流を供給することで、負荷を誘導加熱させることができる。
【００４３】
図５は、本発明の一実施形態に係る誘導加熱インバータの回路構成のその他の例を示す図である。
図５において、誘導加熱インバータ１１ｂには、スイッチング動作に基づいて高周波電流を生成するスイッチング回路１５ｂが設けられ、スイッチング回路１５ｂは平滑コンデンサＣｄｃを介してダイオードＤ１〜Ｄ４からなるダイオードブリッジ回路１３ｂに接続されている。
ここで、スイッチング回路１５ｂには、スイッチング動作を行うスイッチング素子Ｓ１、Ｓ２が設けられ、スイッチング素子Ｓ１、Ｓ２は互いに直列接続されるとともに、スイッチング素子Ｓ１、Ｓ２には帰還ダイオードＤ５、Ｄ６がそれぞれ逆並列接続され、この直列接続されたスイッチング素子Ｓ１、Ｓ２の両端には、互いに直列接続された共振コンデンサＣｒ１、Ｃｒ２が並列接続されている。
【００４４】
そして、ダイオードＤ１、Ｄ３の接続点とダイオードＤ２、Ｄ４の接続点との間には交流電源１２が接続され、スイッチング素子Ｓ１、Ｓ２の接続点と共振コンデンサＣｒ１、Ｃｒ２の接続点との間には加熱コイル１６が接続されている。
そして、交流電源１２から出力された交流電圧は、ダイオードブリッジ回路１３ｂにて直流に変換され、平滑コンデンサＣｄｃを介してスイッチング回路１５ｂに供給される。そして、スイッチング素子Ｓ１、Ｓ２を交互にスイッチングし、加熱コイル１６のインダクタンスＬ０と共振コンデンサＣｒ１、Ｃｒ２との共振周波数以上の周波数で動作させながら、加熱コイル１６に高周波電流を供給することで、負荷を誘導加熱させることができる。
【００４５】
図６は、本発明の一実施形態に係る誘導加熱インバータの回路構成のさらにその他の例を示す図である。
図６において、誘導加熱インバータ１１ｃには、スイッチング動作に基づいて高周波電流を生成するスイッチング回路１５ｃが設けられ、スイッチング回路１５ｃは平滑コンデンサＣｄｃを介してダイオードＤ１〜Ｄ４からなるダイオードブリッジ回路１３ｃに接続されている。
ここで、スイッチング回路１５ｃには、スイッチング動作を行うスイッチング素子Ｓ１〜Ｓ４が設けられ、スイッチング素子Ｓ１、Ｓ２は互いに直列接続されるとともに、スイッチング素子Ｓ１、Ｓ２には帰還ダイオードＤ５、Ｄ６がそれぞれ逆並列接続され、さらにスイッチング素子Ｓ３、Ｓ４は互いに直列接続されるとともに、スイッチング素子Ｓ３、Ｓ４には帰還ダイオードＤ７、Ｄ８がそれぞれ逆並列接続されている。
【００４６】
そして、ダイオードＤ１、Ｄ３の接続点とダイオードＤ２、Ｄ４の接続点との間には交流電源１２が接続され、加熱コイル１６には共振コンデンサＣｓが直列接続されている。そして、スイッチング素子Ｓ１、Ｓ２の接続点とスイッチング素子Ｓ３、Ｓ４の接続点との間には、共振コンデンサＣｓが直列接続された加熱コイル１６が接続されている。
そして、交流電源１２から出力された交流電圧は、ダイオードブリッジ回路１３ａにて直流に変換され、平滑コンデンサＣｄｃを介してスイッチング回路１５ａに供給される。そして、スイッチング素子Ｓ１、Ｓ４とスイッチング素子Ｓ２、Ｓ３とを交互にスイッチングし、加熱コイル１６のインダクタンスＬ０と共振コンデンサＣｓとの共振周波数以上の周波数で動作させながら、加熱コイル１６に高周波電流を供給することで、負荷を誘導加熱させることができる。
なお、上述した回路構成以外にも、インダクタンスＬ０および共振コンデンサが直列共振または並列共振して負荷に電力を供給する回路ならば、演算式が異なる場合においても、本発明に適用することができる。
【図面の簡単な説明】
【００４７】
【図１】本発明の一実施形態に係る誘導加熱装置の概略構成を示すブロック図である。
【図２】本発明の一実施形態に係る負荷適合判別方法に用いられる適合負荷範囲を示す図である。
【図３】本発明の一実施形態に係る負荷範囲の演算結果を示す図である。
【図４】本発明の一実施形態に係る誘導加熱インバータの回路構成の一例を示す図である。
【図５】本発明の一実施形態に係る誘導加熱インバータの回路構成のその他の例を示す図である。
【図６】本発明の一実施形態に係る誘導加熱インバータの回路構成のさらにその他の例を示す図である。
【図７】誘導加熱インバータの回路構成を示す図である。
【図８】従来の誘導加熱調理器の容器材質判別部の概略構成を示すブロック図である。
【図９】従来の誘導加熱調理器における各種被加熱物の材質判別特性図である。
【符号の説明】
【００４８】
１１、１１ａ〜１１ｃ  誘導加熱インバータ
１２  交流電源
１３、１３ａ〜１３ｃ  ダイオードブリッジ回路
１５、１５ａ〜１５ｃ  スイッチング回路
１６  加熱コイル
２１  制御回路部
２２  負荷条件判別部
２３  動作負荷条件演算部
２４  比較部／動作条件判定部
２５  適合負荷範囲記憶部
２６  動作指令部
Ｄ１〜Ｄ４  ダイオード
Ｃｄｃ  平滑コンデンサ
Ｃｒ１、Ｃｒ２、Ｃｓ  共振コンデンサ
Ｓ１〜Ｓ４  スイッチング素子
Ｄ５〜Ｄ８  帰還ダイオード
【図１】
2009163915.tif 000007
【図２】
2009163915.tif 000008
【図３】
2009163915.tif 000009
【図４】
2009163915.tif 000010
【図５】
2009163915.tif 000011
【図６】
2009163915.tif 000012
【図７】
2009163915.tif 000013
【図８】
2009163915.tif 000014
【図９】
2009163915.tif 000015